(57)【要約】【課題】従来の一般的な炬燵は、脚を取り付けた中天板の上にカバー布団を被せて、そのカバー布団の上に天板を載置する構造になっているが、そのカバー布団の一端を引っ張ると、カバー布団が安易に一方へ移動して、カバー布団の縁と床との間に隙間が生じてしまうという問題がある。本発明はかかる問題を解決できる炬燵の提供を課題とする。【解決手段】脚が取り付けられる中天板と、その上に載置される天板との間に、カバー布団が挟まれて、そのカバー布団に孔が設けられるとともに、上記孔に挿通される接合部材が備えられて、その接合部材を介して中天板と天板とが固定されたことを特徴とする。【選択図】        図１
2004191019.tif 000002
【特許請求の範囲】
【請求項１】
脚が取り付けられる中天板と、その上に載置される天板との間に、カバー布団が挟まれて、そのカバー布団に孔が設けられるとともに、上記孔に挿通される接合部材が備えられて、その接合部材を介して中天板と天板とが固定されたことを特徴とする炬燵。
【請求項２】
上記天板の下面側に上記接合部材の上端部が嵌合する凹部が設けられるとともに、上記中天板の上面側に上記接合部材の下端部が嵌合する凹部が設けられた請求項１記載の炬燵。
【請求項３】
上記天板の下面と上記中天板の上面との間に上記カバー布団の厚さとほぼ同一のスペースが形成されるように上記接合部材の高さが設定された請求項１又は２記載の炬燵。
【請求項４】
上記接合部材は筒状に形成され、その内部に挿通されるボルトと、そのボルトに螺着するナットによって、上記中天板と上記天板とが固定された請求項１、２又は３記載の炬燵。
【請求項５】
上記天板の下面側にナットが埋設されて、上記中天板にボルト貫通孔が設けられた請求項４記載の炬燵。
【発明の詳細な説明】
【０００１】
【発明の属する技術分野】
本発明は暖房器具の一種である炬燵に関する。
【０００２】
【従来の技術】
一般的な炬燵は、脚を取り付けた中天板の上にカバー布団を被せて、そのカバー布団の上に天板を載置する構造になっているが、そのカバー布団の一端を引っ張ると、カバー布団が安易に一方へ移動して、カバー布団の縁と床との間に隙間が生じてしまうという問題があった。
【０００３】
なお、出願人が知り得た本願発明に係る先行技術文献情報はない。
【０００４】
【発明が解決しようとする課題】
本発明は、天板と中天板の間に挟んだカバー布団が移動するのを阻止して、カバー布団の縁と床との間に隙間が生じてしまうのを防止することができる炬燵の提供を課題とする。
【０００５】
【課題を解決するための手段】
上記課題を解決するために、本発明の炬燵は、脚が取り付けられる中天板と、その上に載置される天板との間に、カバー布団が挟まれて、そのカバー布団に孔が設けられるとともに、上記孔に挿通される接合部材が備えられて、その接合部材を介して中天板と天板とが固定されたことを特徴とする構成にしたものである。
【０００６】
また、上記天板の下面側に上記接合部材の上端部が嵌合する凹部が設けられるとともに、上記中天板の上面側に上記接合部材の下端部が嵌合する凹部が設けられた構成にすることができる。
【０００７】
また、上記天板の下面と上記中天板の上面との間に上記カバー布団の厚さとほぼ同一のスペースが形成されるように上記接合部材の高さが設定された構成にすることも可能である。
【０００８】
また、上記接合部材は筒状に形成されて、その内部に挿通されるボルトと、そのボルトに螺着するナットによって、上記中天板と上記天板とが固定された構成にすることも可能である。
【０００９】
また、上記天板の下面側にナットが埋設されて、上記中天板にボルト貫通孔が設けられた構成にすることもできる。
【００１０】
【発明の実施の形態】
以下、図を用いて本発明の実施の形態について説明する。まず、図２に示すように、中天板１は四隅に脚２を取り付けるようになっている。また、中天板１の上にはカバー布団３を挟んで天板４を載置するようになっている（図１参照）。
【００１１】
また、中天板１と天板４の間には接合部材である円筒状のコマ５を配して、このコマ５を介して中天板１と天板４とを固定するようにしている。このコマ５も中天板１及び天板４の四隅に配することができる。なお、接合部材は筒状であればよく、ここで筒状とは、上下方向の孔を有する立体を意味するものとし、形状は自由である。すなわち、円筒形の他に、立方体、直方体、球形、角柱、錐体等で、上下方向の孔を有する立体の全てを含むものとする。
【００１２】
上記のように中天板１と天板４の間にコマ５を介在させるために、同じく中天板１と天板４の間に挟むカバー布団３にはコマ５を貫通させる孔６（図１参照）を設けている。なお、図２ではカバー布団３を省略している。
【００１３】
中天板１の上面側にはコマ５の下端部が嵌合する凹部７を設けることが好ましい。
【００１４】
また、天板４の下面側にもコマ５の上端部が嵌合する凹部８を設けることが好ましい。なお、図２では天板４とコマ５を上下反転させた状態で示している。
【００１５】
天板４の上記の凹部８と、中天板１の上記の凹部７に、それぞれコマ５の上下両端部を嵌合させれば、コマ５の位置が安定して、コマ５の位置ずれを防止することができる。
【００１６】
また、カバー布団３の自然状態における厚さとほぼ同一のスペースが天板４と中天板１との間に形成されるようにコマ５の高さを設定することが好ましい。このようにすれば、コマ５がスペーサ―の役割を果たして、カバー布団３が天板４と中天板１に挟まれて潰れるのを防止できる。
【００１７】
天板４の上記の凹部８と、中天板１の上記の凹部７に、それぞれコマ５の上下両端部を摩擦嵌合させれば、天板４と中天板１を一応固定することができる。しかしながら、コマ５は外圧により凹部８と凹部７から外れることがある。そこで、コマ５が外れないようにして天板４と中天板１の固定を一層確実にするために、天板４と中天板１をボルト９とナット１０で固定することが好ましい。
【００１８】
ボルト９を天板４と中天板１との間に架け渡すために、ボルト９を挿通させる孔１１をコマ５に設けることができる。すなわち、孔１１はコマ５の上下方向に開通させる。
【００１９】
ナット１０は、天板４の下面側に開放するように、天板４に埋設することが好ましい。そして、中天板１にボルト９を貫通させる孔１２を設けて、ボルト９の頭部１３を下向きにして、そのボルト９を中天板１の孔１２及びコマ５の孔１１に貫通させてから、そのボルト９の先端部を天板４のナット１０に螺着させるようにすることが好ましい。このようにすれば、ナット１０が外部に露呈せず、又、ボルト９も露出部分が少ないので外観の見栄えがよい。
【００２０】
【発明の効果】
請求項１記載の本発明の炬燵は、コマが天板と中天板の間に挟んだカバー布団の移動を阻止するので、カバー布団の縁と床との間に隙間が生じてしまうのを防止することができる。
【００２１】
また、請求項２記載の本発明の炬燵は、天板の凹部と、中天板の凹部に、それぞれコマの上下両端部を嵌合させることにより、コマの位置を安定させて、コマの位置ずれを防止することができる。
【００２２】
また、請求項３記載の本発明の炬燵は、コマがスペーサ―の役割を果たすので、カバー布団が天板と中天板に挟まれて、天板等の重みで潰れるのを防止できる。
【００２３】
また、請求項４記載の本発明の炬燵は、コマにボルトを貫通させて、そのボルトとナットにより天板と中天板を固定するので、コマが外れることがなく、又、天板と中天板の固定が一層確実になる。
【００２４】
また、請求項５記載の本発明の炬燵は、ナットが外部に露呈せず、又、ボルトも露出部分が少ないので外観の見栄えがよい。
【図面の簡単な説明】
【図１】断面図である。
【図２】分解した状態の一部斜視図である。
【符号の説明】
１  中天板
２  脚
３  カバー布団
４  天板
５  コマ
６  孔
７  凹部
８  凹部
９  ボルト
１０  ナット
１１  孔
１２  孔
１３  頭部
１４  床
【図１】
2004191019.tif 000003
【図２】
2004191019.tif 000004